【手続補正書】
【提出日】平成27年11月16日(2015.11.16)
【手続補正１】
【補正対象書類名】特許請求の範囲
【補正対象項目名】全文
【補正方法】変更
【補正の内容】
【特許請求の範囲】
【請求項１】
光透過性を有する基材と、前記基材の一面に繰り返し周期を持って形成された複数の遮光層と、前記基材の一面において前記遮光層の形成領域以外の領域に形成された光拡散部と、を備え、
前記光拡散部が、前記基材側に光射出端面を有するとともに前記基材側と反対側に前記光射出端面の面積よりも大きい面積の光入射端面を有し、
前記光拡散部の前記光入射端面から前記光射出端面までの高さが前記遮光層の層厚よりも大きく、
前記遮光層が繰返して形成される周期方向と、表示体の画素ピッチ方向とが非平行であることを特徴とする表示装置。
【請求項２】
光透過性を有する基材と、前記基材の一面に形成された複数の遮光層と、前記基材の一面において前記遮光層の形成領域以外の領域に形成された光拡散部と、を備え、
前記光拡散部が、前記基材側に光射出端面を有するとともに前記基材側と反対側に前記光射出端面の面積よりも大きい面積の光入射端面を有し、
前記光拡散部の前記光入射端面から前記光射出端面までの高さが前記遮光層の層厚よりも大きく、
前記遮光層が配列される周期方向と、表示体の画素ピッチ方向とが非平行であり、
前記遮光層が配列される周期が前記画素ピッチよりも小さいことを特徴とする表示装置。
【請求項３】
光透過性を有する基材と、前記基材の一面に繰り返し周期を持って形成された複数の遮光層と、前記基材の一面において前記遮光層の形成領域以外の領域に形成された光拡散部と、を備え、
前記光拡散部が、前記基材側に光射出端面を有するとともに前記基材側と反対側に前記光射出端面の面積よりも大きい面積の光入射端面を有し、
前記光拡散部の前記光入射端面から前記光射出端面までの高さが前記遮光層の層厚よりも大きく、
前記基材の一面の法線方向から見た前記光拡散部の散乱強度が、強散乱方向と弱散乱方向を有する異方性光拡散部材であり、
前記光拡散部の強散乱方向と、前記遮光層が繰返して形成される周期方向とが非平行であることを特徴とする光拡散部材。
【請求項４】
光透過性を有する基材と、前記基材の一面に形成された複数の遮光層と、前記基材の一面において前記遮光層の形成領域以外の領域に形成された光拡散部と、を備え、
前記光拡散部が、前記基材側に光射出端面を有するとともに前記基材側と反対側に前記光射出端面の面積よりも大きい面積の光入射端面を有し、
前記光拡散部の前記光入射端面から前記光射出端面までの高さが前記遮光層の層厚よりも大きく、
前記基材の一面の法線方向から見た前記光拡散部の散乱強度が、強散乱方向と弱散乱方向を有する異方性光拡散部材であり、
前記光拡散部の強散乱方向と、前記遮光層が配列される周期方向とが非平行であることを特徴とする光拡散部材。
【請求項５】
光透過性を有する基材と、前記基材の一面に形成された複数の遮光層と、前記基材の一面において前記遮光層の形成領域以外の領域に形成された光拡散部と、を備え、
前記光拡散部が、前記基材側に光射出端面を有するとともに前記基材側と反対側に前記光射出端面の面積よりも大きい面積の光入射端面を有し、
前記光拡散部の前記光入射端面から前記光射出端面までの高さが前記遮光層の層厚よりも大きく、
前記基材の一面の法線方向から見た前記光拡散部の散乱強度が、強散乱方向と弱散乱方向を有する異方性光拡散部材であり、
前記光拡散部の強散乱方向と、前記遮光層が配列される周期方向とが非平行であり、
前記遮光層が配列される周期方向と、表示体の画素ピッチ方向とが非平行であり、
前記遮光層が配列される周期が前記画素ピッチよりも小さいことを特徴とする表示装置。
【請求項６】
光透過性を有する基材と、前記基材の一面に繰り返し周期を持って形成された複数の光拡散部と、前記基材の一面において、前記光拡散部の形成領域以外の領域に形成された遮光層と、を備え、
前記光拡散部が、前記基材側に光射出端面を有するとともに前記基材側と反対側に前記光射出端面の面積よりも大きい面積の光入射端面を有し、
前記光拡散部の前記光入射端面から前記光射出端面までの高さが前記遮光層の層厚よりも大きく、
前記光拡散部が繰返して形成される周期方向と、表示体の画素ピッチ方向とが非平行であることを特徴とする表示装置。
【請求項７】
光透過性を有する基材と、前記基材の一面に形成された複数の光拡散部と、前記基材の一面において前記光拡散部の形成領域以外の領域に形成された遮光層と、を備え、
前記光拡散部が、前記基材側に光射出端面を有するとともに前記基材側と反対側に前記光射出端面の面積よりも大きい面積の光入射端面を有し、
前記光拡散部の前記光入射端面から前記光射出端面までの高さが前記遮光層の層厚よりも大きく、
前記光拡散部が配列される周期方向と、表示体の画素ピッチ方向とが非平行であり、
前記光拡散部が配列される周期が前記画素ピッチよりも小さいことを特徴とする表示装置。
【請求項８】
光透過性を有する基材と、前記基材の一面に繰り返し周期を持って形成された複数の光拡散部と、前記基材の一面において前記光拡散部の形成領域以外の領域に形成された遮光層と、を備え、
前記光拡散部が、前記基材側に光射出端面を有するとともに前記基材側と反対側に前記光射出端面の面積よりも大きい面積の光入射端面を有し、
前記光拡散部の前記光入射端面から前記光射出端面までの高さが前記遮光層の層厚よりも大きく、
前記基材の一面の法線方向から見た前記光拡散部の散乱強度が、強散乱方向と弱散乱方向を有する異方性光拡散部材であり、
前記光拡散部の強散乱方向と、前記光拡散部が繰返して形成される周期方向とが非平行であることを特徴とする光拡散部材。
【請求項９】
光透過性を有する基材と、前記基材の一面に形成された複数の光拡散部と、前記基材の一面において前記遮光層の形成領域以外の領域に形成された遮光層と、を備え、
前記光拡散部が、前記基材側に光射出端面を有するとともに前記基材側と反対側に前記光射出端面の面積よりも大きい面積の光入射端面を有し、
前記光拡散部の前記光入射端面から前記光射出端面までの高さが前記遮光層の層厚よりも大きく、
前記基材の一面の法線方向から見た前記光拡散部の散乱強度が、強散乱方向と弱散乱方向を有する異方性光拡散部材であり、
前記光拡散部の強散乱方向と、前記光拡散部が配列される周期方向とが非平行であることを特徴とする光拡散部材。
【請求項１０】
光透過性を有する基材と、前記基材の一面に形成された複数の光拡散部と、前記基材の一面において前記遮光層の形成領域以外の領域に形成された遮光層と、を備え、
前記光拡散部が、前記基材側に光射出端面を有するとともに前記基材側と反対側に前記光射出端面の面積よりも大きい面積の光入射端面を有し、
前記光拡散部の前記光入射端面から前記光射出端面までの高さが前記遮光層の層厚よりも大きく、
前記基材の一面の法線方向から見た前記光拡散部の散乱強度が、強散乱方向と弱散乱方向を有する異方性光拡散部材であり、
前記光拡散部の強散乱方向と、前記光拡散部が配列される周期方向とが非平行であり、
前記光拡散部が配列される周期方向と、表示体の画素ピッチ方向とが非平行であり、
前記光拡散部が配列される周期が前記画素ピッチよりも小さいことを特徴とする表示装置。
【請求項１１】
前記基材の一面と反対側の面に、反射防止層、帯電防止層、防眩処理層、防汚処理層のうち少なくとも１つが設けられていることを特徴とする請求項１、２、５〜７、１０のいずれか１項に記載の表示装置。
【請求項１２】
前記光拡散部の強散乱方向と、表示体の頂点を結ぶ対角線とが非平行であることを特徴とする請求項１、２、５〜７、１０のいずれか１項に記載の表示装置。
【請求項１３】
前記基材と表示体との間に偏光板が設けられ、前記基材と前記偏光板との間に、前記基材の屈折率と前記偏光板の屈折率との間の屈折率を有する部材が介在していることを特徴とする請求項１、２、５〜７、１０〜１２のいずれか１項に記載の表示装置。
【請求項１４】
前記遮光層における前記基材と反対側の面の一部が、光散乱性を有する部材で覆われていることを特徴とする請求項１、２、５〜７、１０〜１３のいずれか１項に記載の表示装置。
【請求項１５】
前記基材の一面の法線方向から見た前記遮光層の平面形状が、長軸と短軸とを有する異方性形状であることを特徴とする請求項１、２、５〜７、１０〜１４のいずれか１項に記載の表示装置。
【請求項１６】
前記基材の一面の法線方向から見た前記遮光層の平面形状が、楕円形もしくは多角形であることを特徴とする請求項１５に記載の表示装置。
【請求項１７】
前記複数の遮光層が、互いにサイズが異なる遮光層を含むことを特徴とする請求項１、２、５のいずれか１項に記載の表示装置。
【請求項１８】
前記遮光層と前記光拡散部の側面とで区画される空間が中空部であり、前記中空部に、気体が満たされていることを特徴とする請求項１、２、５〜７、１０〜１７のいずれか１項に記載の表示装置。
【請求項１９】
前記複数の光拡散部のうち、少なくとも１つの前記光拡散部の側面の傾斜角度が他の前記光拡散部の側面の傾斜角度と異なることを特徴とする請求項６、７、１０のいずれか１項に記載の表示装置。
【請求項２０】
前記複数の光拡散部のうち、少なくとも１つの前記光拡散部の側面の傾斜角度が場所によって異なることを特徴とする請求項６、７、１０のいずれか１項に記載の表示装置。
【請求項２１】
前記基材の一面の法線方向から見た前記遮光層の平面形状が等方性形状であり、前記遮光層の側面形状が長軸と短軸とを有する異方性形状であることを特徴とする請求項１、２、５〜７、１０〜１４のいずれか１項に記載の表示装置。
【請求項２２】
光透過性を有する基材の一面に、繰り返し周期を持って複数の遮光層を形成する工程と、
前記基材の一面に、前記遮光層を覆うように光透過性を有するネガ型感光性樹脂層を形成する工程と、
前記遮光層および前記ネガ型感光性樹脂層を形成した前記基材の一面と反対側の面から、前記遮光層の形成領域以外の領域を通して前記ネガ型感光性樹脂層に対して拡散光を照射し、前記ネガ型感光性樹脂層を露光する工程と、
前記露光が終わった前記ネガ型感光性樹脂層を現像し、前記基材側に光射出端面を有するとともに前記基材側と反対側に前記光射出端面の面積よりも大きい面積の光入射端面を有する光拡散部を前記基材の一面側に形成する工程と、
前記光拡散部の前記光入射端面に、光学接着剤を介して、偏光板を貼着する工程と、
前記基材、前記遮光層、前記光拡散部および前記偏光板を備えた積層体を、その厚さ方向に沿って切断して、前記光拡散部の厚さ方向に沿う端面と前記偏光板の厚さ方向に沿う端面とを概ね合わせて配置する工程と、を有することを特徴とする表示装置の製造方法。
【請求項２３】
光透過性を有する基材の一面に、繰り返し周期を持って開口部を有する遮光層を形成する工程と、
前記基材の一面に、前記遮光層を覆うように光透過性を有するネガ型感光性樹脂層を形成する工程と、
前記遮光層および前記ネガ型感光性樹脂層を形成した前記基材の一面と反対側の面から、前記遮光層の開口部を通して前記ネガ型感光性樹脂層に対して拡散光を照射し、前記ネガ型感光性樹脂層を露光する工程と、
前記露光が終わった前記ネガ型感光性樹脂層を現像し、前記基材側に光射出端面を有するとともに前記基材側と反対側に前記光射出端面の面積よりも大きい面積の光入射端面を有する光拡散部を前記基材の一面側に形成する工程と、
前記光拡散部の前記光入射端面に、光学接着剤を介して、偏光板を貼着する工程と、
前記基材、前記遮光層、前記光拡散部および前記偏光板を備えた積層体を、その厚さ方向に沿って切断して、前記光拡散部の厚さ方向に沿う端面と前記偏光板の厚さ方向に沿う端面とを概ね合わせて配置する工程と、を有することを特徴とする表示装置の製造方法。
【請求項２４】
光透過性を有する基材の一面に、繰り返し周期を有する遮光層を形成する工程と、
前記基材の一面に、前記遮光層を覆うように光透過性を有するネガ型感光性樹脂層を形成する工程と、
前記遮光層および前記ネガ型感光性樹脂層を形成した前記基材の一面と反対側の面から、前記遮光層の形成領域以外の領域を通して前記ネガ型感光性樹脂層に対して拡散光を照射し、前記ネガ型感光性樹脂層を露光する工程と、
前記露光が終わった前記ネガ型感光性樹脂層を現像し、前記基材側に光射出端面を有するとともに前記基材側と反対側に前記光射出端面の面積よりも大きい面積の光入射端面を有する光拡散部を前記基材の一面側に形成する工程と、
前記光拡散部の前記光入射端面と、繰り返し画素を有する表示装置の表示面とを対向させ、両者の繰り返し周期が非平行となるように設置したことを特徴とする表示装置の製造方法。